(57)【要約】  本発明の一実施例による信号送信方法は、複数のフレームからなる放送チャンネル情報の更新周期内の第１フレームで放送チャンネル情報を第１スクランブリングコードを利用してチャンネルコーディングする段階、そして、前記送信情報の更新周期内の第２フレームで前記送信情報を前記第１スクランブリングコードと異なる第２スクランブリングコードを利用してチャンネルコーディングする段階を含む。
2010526470.tif 000002
【特許請求の範囲】
【請求項１】
基地局から信号を送信する方法において、
複数のフレームからなる送信情報の更新周期ごとに送信情報を更新する段階、
前記送信情報の更新周期内の各フレームで前記送信情報をスクランブリングコードを利用してチャンネルコーディングする段階、
チャンネルコーディングした前記送信情報を送信シンボルに変換する段階、そして
前記送信シンボルを送信する段階
を含み、
前記送信情報の更新周期内の前記複数のフレームで互いに異なるスクランブリングコードが使用される、方法。
【請求項２】
前記チャンネルコーディングする段階は、
前記送信情報の更新周期内の前記複数のフレームで各々同一な送信情報をチャンネルコーディングする段階を含む、請求項１に記載の方法。
【請求項３】
前記チャンネルコーディングする段階は、
フレーム単位で前記送信情報をチャンネルコーディングする段階を含む、請求項１に記載の方法。
【請求項４】
前記送信情報は放送チャンネル情報を含む、請求項１に記載の方法。
【請求項５】
前記送信情報の更新周期内の各フレームで前記放送チャンネル情報は同一なシステムフレーム番号を含む、請求項４に記載の方法。
【請求項６】
基地局から信号を送信する装置において、
複数のフレームからなる送信情報の更新周期ごとに送信情報を更新する手段、
前記送信情報の更新周期内の各フレームで前記送信情報をスクランブリングコードを利用してチャンネルコーディングする手段、
チャンネルコーディングした前記送信情報を送信シンボルに変換する手段、そして
前記送信シンボルを送信する手段
を含み、
前記送信情報の更新周期内の前記複数のフレームでは互いに異なるスクランブリングコードが使用される、装置。
【請求項７】
基地局で信号を生成する方法において、
複数のフレームからなる送信情報の更新周期内の第１フレームで送信情報を第１スクランブリングコードを利用してチャンネルコーディングする段階、そして
前記送信情報の更新周期内の第２フレームで前記送信情報を前記第１スクランブリングコードと異なる第２スクランブリングコードを利用してチャンネルコーディングする段階
を含む、方法。
【請求項８】
前記送信情報の更新周期直後の送信情報の更新周期内の第３フレームで更新された送信情報を前記第１スクランブリングコードを利用してチャンネルコーディングする段階、そして
前記次直後の送信情報の更新周期内の第４フレームで前記更新された送信情報を前記第２スクランブリングコードを利用してチャンネルコーディングする段階
をさらに含む、請求項７に記載の方法。
【請求項９】
前記送信情報は放送チャンネル情報を含む、請求項７に記載の方法。
【請求項１０】
基地局で信号を生成する装置において、
複数のフレームからなる送信情報の更新周期内の第１フレームで送信情報を第１スクランブリングコードを利用してチャンネルコーディングする手段、そして
前記送信情報の更新周期内の第２フレームで前記送信情報を前記第１スクランブリングコードと異なる第２スクランブリングコードを利用してチャンネルコーディングする手段
を含む、装置。
【請求項１１】
端末機で信号を受信する方法において、
受信フレームのデータをスクランブリングコードを利用してデコーディングして、放送チャンネル情報を復調する段階、
前記放送チャンネル情報に含まれているシステムフレーム番号を検出する段階、
検出した前記システムフレーム番号及び前記デコーディングに使用した前記スクランブリングコードより、前記受信フレームのシステムフレーム番号を確認する段階
を含む、方法。
【請求項１２】
前記放送チャンネル情報は、複数のフレームからなる放送チャンネル更新周期ごとに更新され、
前記放送チャンネル更新周期内の前記複数のフレームは、各々互いに異なるスクランブリングコードによってデコーディングされる、請求項１１に記載の方法。
【請求項１３】
前記復調する段階は、
前記受信フレームのデータを前記複数のフレームに各々割り当てられた複数のスクランブリングコードのうちのいずれか一つを利用してデコーディングを試みる段階を含む、請求項１１に記載の方法。
【請求項１４】
前記復調する段階は、
前記複数のスクランブリングコードを利用したデコーディングが失敗した場合に、
少なくとも二つの受信フレームのデータをソフト結合してデコーディングする段階をさらに含む、請求項１３に記載の方法。
【請求項１５】
端末機で信号を受信する装置において、
受信フレームのデータをスクランブリングコードを利用してデコーディングして、放送チャンネル情報を復調する手段、
前記放送チャンネル情報に含まれているシステムフレーム番号を検出する手段、
検出した前記システムフレーム番号及び前記デコーディングに使用した前記スクランブリングコードより、前記受信フレームのシステムフレーム番号を確認する手段
を含む、装置。
【発明の詳細な説明】
【技術分野】
【０００１】
本発明は、信号送信方法及び装置に関するものであって、特に、通信システムにおける放送チャンネル信号の送信方法及び装置に関するものである。
【０００２】
本発明は、韓国情報通信部及び情報通信研究振興院のＩＴ新成長動力核心技術開発事業の一環として行われた研究から導き出されたものである［課題管理番号：２００５−Ｓ−４０４−１３、課題名：３Ｇエボリューション無線伝送技術開発］。
【背景技術】
【０００３】
セルラーシステムなどの通信システムにおいて、放送チャンネル（broadcast channel、BCH）は、システム情報を伝送する目的で使用される。端末機は、初期に通信システムに接続する際にＢＣＨ情報を復調して、接続したセル固有のパラメーターを調べる。したがって、基地局は、端末機のチャンネル情報が全くない状態でＢＣＨ情報を伝送するため、電力制御や周波数選択的スケジューリングなどのリンク適応技法（link adaptation technique）を使用することができない。また、端末機がＢＣＨ情報を復調する前には、接続したセルの帯域を知ることができないため、通信システムが使用する帯域の個数が複数である場合、ＢＣＨ情報は最小システム帯域のみに伝送される。したがって、端末機は、一般に劣悪な環境でＢＣＨ情報を復調するようになる。
【０００４】
このように劣悪な復調環境にもかかわらず、ＢＣＨ情報は端末機の動作のために必須の情報を含んでいるので、ＢＣＨは、低い信号対干渉雑音の比（signal to interference noise ratio、SINR）においても優れた復調性能を有する必要がある。これは、ＢＣＨ情報に対するチャンネルコーディング率が非常に低くなければならないということを意味する。
【発明の概要】
【発明が解決しようとする課題】
【０００５】
本発明が目的とする技術的課題は、ＢＣＨ情報の復調性能を向上させることができるＢＣＨ送信方法及び装置を提供することにある。
【課題を解決するための手段】
【０００６】
このような課題を解決するために、本発明の一つの特徴によれば、基地局から信号を送信する方法が提供される。この方法は、複数のフレームからなる送信情報の更新周期ごとに送信情報を更新する段階、前記送信情報の更新周期内の各フレームで前記送信情報をスクランブリングコードを利用してチャンネルコーディングする段階、チャンネルコーディングした前記送信情報を送信シンボルに変換する段階、そして前記送信シンボルを送信する段階を含み、前記送信情報の更新周期内の前記複数のフレームでは互いに異なるスクランブリングコードが使用される。
【０００７】
この時、前記チャンネルコーディングする段階は、前記送信情報の更新周期内の前記複数のフレームで各々同一な送信情報をチャンネルコーディングする段階を含むことができる。
【０００８】
または、前記チャンネルコーディングする段階は、フレーム単位で前記送信情報をチャンネルコーディングする段階を含むことができる。
【０００９】
そして、前記送信情報は放送チャンネル情報を含むことができ、前記送信情報の更新周期内の前記複数のフレームで前記放送チャンネル情報は同一なシステムフレーム番号を含むことができる。
【００１０】
本発明の他の特徴による基地局から信号を送信する装置は、複数のフレームからなる送信情報の更新周期ごとに送信情報を更新する手段、前記送信情報の更新周期内の各フレームで前記送信情報をスクランブリングコードを利用してチャンネルコーディングする手段、チャンネルコーディングした前記送信情報を送信シンボルに変換する手段、そして前記送信シンボルを送信する手段を含み、前記送信情報の更新周期内の前記複数のフレームでは互いに異なるスクランブリングコードが使用される。
【００１１】
本発明のまた他の特徴による基地局で信号を生成する方法は、複数のフレームからなる送信情報の更新周期内の第１フレームで送信情報を第１スクランブリングコードを利用してチャンネルコーディングする段階、そして前記送信情報の更新周期内の第２フレームで前記送信情報を前記第１スクランブリングコードと異なる第２スクランブリングコードを利用してチャンネルコーディングする段階を含む。
【００１２】
この方法は、前記送信情報の更新周期の直後の送信情報の更新周期内の第３フレームで更新された送信情報を前記第１スクランブリングコードを利用してチャンネルコーディングする段階、そして前記直後の送信情報の更新周期内の第４フレームで前記更新された送信情報を前記第２スクランブリングコードを利用してチャンネルコーディングする段階をさらに含むことができる。
【００１３】
この時、前記送信情報は放送チャンネル情報を含むことができる。
【００１４】
本発明のまた他の特徴による基地局で信号を生成する装置は、複数のフレームからなる送信情報の更新周期内の第１フレームで送信情報を第１スクランブリングコードを利用してチャンネルコーディングする手段、そして前記送信情報の更新周期内の第２フレームで前記送信情報を前記第１スクランブリングコードと異なる第２スクランブリングコードを利用してチャンネルコーディングする手段を含む。
【００１５】
本発明のまた他の特徴によれば、端末機で信号を受信する方法が提供される。この方法は、受信フレームのデータをスクランブリングコードを利用してデコーディングして、放送チャンネル情報を復調する段階、前記放送チャンネル情報に含まれているシステムフレーム番号を検出する段階、検出した前記システムフレーム番号及び前記デコーディングに使用した前記スクランブリングコードより、前記受信フレームのシステムフレーム番号を確認する段階を含む。
【００１６】
この時、前記放送チャンネル情報は、複数のフレームからなる放送チャンネル更新周期ごとに更新され、前記放送チャンネル更新周期内の前記複数のフレームは、各々互いに異なるスクランブリングコードによってデコーディングされる。
【００１７】
そして、前記復調する段階は、前記受信フレームのデータを前記複数のフレームに各々割り当てられた複数のスクランブリングコードのうちのいずれか一つを利用してデコーディングを試みる段階を含むことができる。
【００１８】
この時、前記復調する段階は、前記複数のスクランブリングコードを利用したデコーディングが失敗した場合に、少なくとも二つの受信フレームのデータをソフト結合してデコーディングする段階をさらに含むことができる。
【００１９】
本発明のまた他の特徴による端末機で信号を受信する装置は、受信フレームのデータをスクランブリングコードを利用してデコーディングして、放送チャンネル情報を復調する手段、前記放送チャンネル情報に含まれているシステムフレーム番号を検出する手段、 検出した前記システムフレーム番号及び前記デコーディングに使用した前記スクランブリングコードより、前記受信フレームのシステムフレーム番号を確認する手段を含む。
【発明の効果】
【００２０】
本発明の一実施例によれば、ＳＩＮＲの高い環境では、端末機が一つのフレームのデータでＢＣＨ情報を復調することができるので、デコーディング遅延時間を減らすことができ、ＳＩＮＲの低い環境では、端末機がソフト結合してデコーディングを行うことができるので、基地局が資源を効率的に管理することができる。また、端末機は、一つのフレームのデータだけでもシステムフレーム番号を正確に知ることができる。
【図面の簡単な説明】
【００２１】
【図１】本発明の一実施例による基地局の信号送信装置の概略的なブロック図である。
【図２】図１に示したチャンネルコーディング器の概略的なブロック図である。
【図３】各々従来のＢＣＨ送信構造を示した図である。
【図４】各々従来のＢＣＨ送信構造を示した図である。
【図５】図４に示したＢＣＨ送信構造による端末機のデコーディング方法を示した図である。
【図６】各々従来のＢＣＨ送信構造を示した図である。
【図７】本発明の一実施例によるＢＣＨ送信構造を示した図である。
【図８】本発明の一実施例によるＢＣＨチャンネルコーディング方法を示したフローチャートである。
【図９】図７に示したＢＣＨ送信構造による端末機のデコーディング方法を示した図である。
【図１０】各々本発明の実施例によるレートマッチング器でのレートマッチング方法を示した図である。
【図１１】各々本発明の実施例によるレートマッチング器でのレートマッチング方法を示した図である。
【図１２】本発明の一実施例による端末機の信号受信装置の概略的なブロック図である。
【図１３】図１２に示したチャンネルデコーディング器の概略的なブロック図である。
【発明を実施するための形態】
【００２２】
以下、添付した図面を参照して、本発明の実施例について、本発明が属する技術分野にて通常の知識を有する者が容易に実施できるように詳しく説明する。しかし、本発明は多様な相違した形態に具現され、ここで説明する実施例に限られない。そして、図面においては、本発明を明確に説明するために、説明に不要な部分は省略し、明細書全体を通して類似した部分については、類似した図面符号を付けた。
【００２３】
明細書全体で、ある部分がある構成要素を「含む」という場合、これは特に反対になる記載がない限り、他の構成要素を除くわけではなく、他の構成要素をさらに含むことを意味する。そして、各ブロックは、特定の機能や動作を処理する単位を意味し、これは、ハードウェアやソフトウェア、またはハードウェア及びソフトウェアの結合によって具現される。
【００２４】
また、明細書全体で、端末機（terminal）は、使用者装置（user equipment、UE）、移動端末（mobile terminal、MT）、加入者局（subscriber station、SS）、移動局（mobile station、MS）、携帯加入者局（portable subscriber station、PSS）、接近端末（access terminal、AT）などを称することができ、使用者装置、移動端末、加入者局、移動局、携帯加入者局、接近端末などの全部または一部の機能を含むこともできる。
【００２５】
そして、基地局（base station、BS）は、ノードＢ（Node B）、高度化ノードＢ（evoved Node B、eNodeB）、接近点（access point、AP）、無線接近局（radio access station、RAS）、送受信基地局（base transceiver station、BTS）、ＭＭＲ（mobile multihop relay）−ＢＳなどを称することができ、ノードＢ、ｅＮｏｄｅＢ、接近点、無線接近局、送受信基地局、ＭＭＲ−ＢＳなどの全部または一部の機能を含むこともできる。
【００２６】
以下、本発明の実施例による通信システムの信号送信方法及び装置について、図面を参照して詳しく説明する。
【００２７】
まず、本発明の一実施例による通信システムの基地局の信号送信装置について、図１及び図２を参照して説明する。
【００２８】
図１は、本発明の一実施例による基地局の信号送信装置の概略的なブロック図であり、図２は、図１に示したチャンネルコーディング器１１０の概略的なブロック図である。
【００２９】
図１に示したように、本発明の一実施例による信号送信装置１００は、チャンネルコーディング器１１０、シンボル変換器１２０、マルチプレクサ１３０、逆高速フーリエ変換器（inverse fast Fourier transformer、IFFT）１４０、及び送信器１５０を含む。
【００３０】
チャンネルコーディング器１１０は、入力されるＢＣＨビット、つまりＢＣＨ情報に対してチャンネルコーディングを行う。基地局の信号送信装置１００に入力されるＢＣＨ情報はシステムフレーム番号を含み、所定の個数のフレームごとに一回ずつ変わる。この時、ＢＣＨ情報が更新される周期、つまりＢＣＨ情報更新周期を送信時間区間（transmission time interval、TTI）という。以下で説明する本発明の実施例では、ＴＴＩが二つのフレームであると仮定するが、本発明はこれに限定されず、ＴＴＩは二つ以上のフレームであってもよい。
【００３１】
シンボル変換器１２０は、チャンネルコーディングされたＢＣＨ情報を変調によって複素シンボル、つまりＢＣＨシンボルに変換する。変調方式としては、例えばＱＰＳＫ（quadrature phase shift keying）方式などが適用される。マルチプレクサ１３０は、ＢＣＨシンボルと異なるチャンネルシンボルを時間及び周波数資源に所定のパターンに応じて配置して周波数領域信号を生成し、逆高速フーリエ変換器１４０は、周波数領域信号を逆高速フーリエ変換によって時間領域信号に変換する。そして、送信器１５０は、時間領域信号をアンテナ１６０を通して送信する。
【００３２】
図２を参照すれば、チャンネルコーディング器１１０は、基本エンコーダー１１１、レートマッチング器１１２、インタリーバ１１３、及びスクランブラー１１４を含む。基本エンコーダー１１１は、ＢＣＨビットを所定のコーディング率に応じてエンコーディングする。レートマッチング器１１２は、基本エンコーダー１１１の出力ビットと実際の時間及び周波数資源を通して送信することができるビットとの数が一致しない場合に、基本エンコーダー１１１の出力ビットのうちの一部のビットをパンクチャまたは反復するレートマッチングを行う。インタリーバ１１３は、エラーが発生する送信ビットが一部の区間に限定されるのを防止するために、レートマッチングされたビットの順序を無作為に変更し、スクランブラー１１４は、スクランブリングコードを利用してインタリーバ１１３の出力ビットをスクランブリングする。
【００３３】
次に、本発明の一実施例による信号送信装置の信号送信方法について、図３乃至図９を参照して詳細に説明する。
【００３４】
以下では、ＴＴＩを前述のように二つのフレームに仮定し、説明の便宜上、二つのＴＴＩ、つまり四つのフレームだけを示した。この時、第１ＴＴＩのＢＣＨ情報に含まれるシステムフレーム番号（system frame number、SFN）をＫと仮定し、第２ＴＴＩのＢＣＨ情報に含まれるシステムフレーム番号を（Ｋ＋２）と仮定する。そして、一つのフレームが複数の副フレームから形成される時、図３乃至図９では、ＢＣＨ情報が最初の副フレームに割り当てられるものとして示し、残りの副フレームに対する図示は省略した。
【００３５】
まず、従来のＢＣＨ送信方法について、図３乃至図６を参照して詳しく説明する。
【００３６】
図３、図４、及び図６は、各々従来のＢＣＨ送信構造を示した図であり、図５は、図４に示したＢＣＨ送信構造による端末機のデコーディング方法を示した図である。
【００３７】
図３に示したＢＣＨ送信構造によれば、ＢＣＨ情報は二つのフレームごとに更新されるので、ＴＴＩ内の第１フレーム（フレーム＃ｉ）では、ＢＣＨ情報に含まれているシステムフレーム番号Ｋをそのまま使用するが、第２フレーム［フレーム＃（ｉ＋１）］では、ＢＣＨ情報に含まれているシステムフレーム番号Ｋに１を加えた値（Ｋ＋１）がシステムフレーム番号に設定される。そして、ＴＴＩ内の複数のフレームに対して同一なスクランブリングコード（スクランブリングコード＃１）が割り当てられる。このようにすることにより、システムフレーム番号がフレームごとに互いに異なるので、フレームごとに互いに異なるＢＣＨシンボルが伝送される。したがって、端末機は、一つのフレームの間に受信したデータだけを利用してＢＣＨシンボルをデコーディングし、複数のフレームで受信したデータをソフト結合（soft-combining）してＢＣＨシンボルをデコーディングすることはできない。この時、低いＳＩＮＲでもＢＣＨシンボルが復調されるように、ＢＣＨ情報をコーディングする際に低いコーディング率が適用されなければならないため、基地局が時間及び周波数資源を効率的に使用することができない。
【００３８】
次に、図４に示したＢＣＨ送信構造を見れば、ＢＣＨ情報に対してＴＴＩ、つまり二つのフレームごとに一回ずつチャンネルコーディングが行われ、ＴＴＩごとに同一なスクランブリングコード（スクランブリングコード＃１）が使用される。つまり、二つのフレームのデータがチャンネルコーディングブロックとなる。具体的に、一つのフレームで送信できるビットの数をＭとすれば、レートマッチング器は２Ｍビットを生成する。インタリーバは、２Ｍビットを一度にインタリービングし、スクランブラーは、インタリービングされたビットを長さが２Ｍであるスクランブリングコードと乗算する。スクランブリングを経た２Ｍの大きさの出力ビットが分割されて、Ｍビットはフレーム＃ｉに送信され、残りのＭビットはフレーム＃（ｉ＋１）に送信される。このようにすることにより、各フレームでＢＣＨシンボル伝送用に使用する時間及び周波数資源は図３のＢＣＨ送信方法に比べて半分で済むので、基地局が資源を効率的に使用することができる。
【００３９】
このようなＢＣＨ送信構造では、２Ｍビットが一度にインタリービングされているため、端末機は、二つのフレームに渡って２Ｍビットを受信しなければＢＣＨシンボルを復調することができない。この時、端末機は、任意の時点でＢＣＨシンボルを受信することができるため、最初に受信したフレームがＴＴＩ内では何番目のフレームに相当するかを知ることができない。したがって、端末機は、二つの仮説（hypothesis）をたててブラインドデコーディングを行う。図５を参照すれば、端末機は、第１及び第２フレームで受信したデータが一つのチャンネルコーディングブロックを形成するという仮説（仮説１）と、第２及び第３フレームで受信したデータが一つのチャンネルコーディングブロックを形成するという仮説（仮説２）とをたてる。端末機は、仮説１に応じて第２フレームでデコーディングを行って、正常にデコーディングが行われれば、仮説１が正しいものと判断し、これによってＢＣＨ情報を復調することができる。端末機は、復調したＢＣＨ情報によって受信した第１フレームのシステムフレーム番号がＫであることを知り、第２フレームのシステムフレーム番号を（Ｋ＋１）と判断する。この時、仮説１に応じて正常にデコーディングが行わなければ、端末機は、仮説２に応じて第２フレームでデコーディングを行う。そして、端末機は、復調されたＢＣＨ情報によって第２フレームのシステムフレーム番号がＫであることを知り、第３フレームのシステムフレーム番号を（Ｋ＋１）と判断する。
【００４０】
このように、図４に示したＢＣＨ送信構造によれば、チャンネルコーディングブロックの長さが増加して資源効率が増加するが、ＳＩＮＲの高い環境でも、常に二つ以上のフレームを受信しなければＢＣＨシンボルを復調することができないため、デコーディング時間が遅延される。
【００４１】
次に、図６に示したＢＣＨ送信構造を見れば、フレームごとにＢＣＨ情報に対してチャンネルコーディングが行われ、同一なスクランブリングコード（例えばスクランブリングコード＃１）が使用される。この時、フレーム＃ｉ及びフレーム＃（ｉ＋１）では、同一なＢＣＨ情報によって同一なシステムフレーム番号Ｋが伝送される。この場合に、ＳＩＮＲの高い環境で、端末機は、一つのフレームのデータだけを受信した場合にも全てのＢＣＨ情報を知ることができるので、図４に示したＢＣＨ送信構造に比べて、デコーディング遅延時間を減らすことができる。一方、ＴＴＩ内の二つのフレームは同一なシステムフレーム番号を伝送するので、ＳＩＮＲが低い環境で、端末機は、ＴＴＩ内の二つのフレームのデータをソフト結合してデコーディングを行うことができる。このように、ＳＩＮＲが低い環境でソフト結合を使用することができるので、基地局が資源を効率的に管理することができる。しかし、この送信構造では、ＴＴＩ内の二つのフレームに同一なシステムフレーム番号が伝送されるので、端末機が一つのフレームのデータだけを受信した時には、そのフレームの正確なシステムフレーム番号は知ることができない。
【００４２】
以上で説明したように、図３乃至図６に示した従来のＢＣＨ伝送構造によれば、デコーディング遅延時間が長くなったり、資源を効率的に使用することができないという問題点がある。このような問題点を解決するために、本発明の一実施例では、図７に示したＢＣＨ伝送構造を使用する。
【００４３】
図７は、本発明の一実施例によるＢＣＨ送信構造を示した図であり、図８は、本発明の一実施例によるＢＣＨチャンネルコーディング方法を示したフローチャートであり、図９は、図７に示したＢＣＨ送信構造による端末機のデコーディング方法を示した図である。
【００４４】
図７を参照すれば、本発明の一実施例によるＢＣＨ伝送構造では、チャンネルコーディング器１１０がＴＴＩ内の毎フレームごとに同一なＢＣＨ情報に対してチャンネルコーディングを行う。そうすると、毎フレームごとに一つのチャンネルコーディングブロックが伝送され、ＴＴＩ内の各チャンネルコーディングブロックは同一なＢＣＨ情報を含む。そして、ＴＴＩ内の複数のフレームに対して互いに異なるスクランブリングコードが使用される。例えば、ＴＴＩ内のフレーム＃ｉでは、システムフレーム番号Ｋ及びスクランブリングコード＃１が使用され、フレーム＃（ｉ＋１）では、システムフレーム番号Ｋ及びスクランブリングコード＃２が使用される。この時、前述のように、チャンネルコーディングに使用されるＢＣＨ情報は、ＴＴＩ内でフレームに関係なく同一なシステムフレーム番号を有する。つまり、ＴＴＩ内に二つのフレームが含まれる場合には、実際のシステムフレーム番号から下位１ビットが除去されたシステムフレーム番号がチャンネルコーディングに使用され、ＴＴＩ内に四つのフレームが含まれる場合には、実際のシステムフレーム番号から下位２ビットが除去されたシステムフレーム番号がチャンネルコーディングに使用される。
【００４５】
次に、図２及び図８を参照してＢＣＨ送信方法を具体的に見れば、基本エンコーダー１１１がコーディング率に応じてＮビットのＢＣＨ情報をエンコーディングするが（Ｓ８１０）、コーディング率が１／３である場合に、基本エンコーダー１１１の出力ビットは３Ｎビットである。レートマッチング器１１２は、基本エンコーダー１１１の出力ビットに対してレートマッチングを行って、Ｍビットのデータを出力する（Ｓ８２０）。そして、インタリーバ１１３は、レートマッチングされたＭビットのデータをインタリービングし（Ｓ８３０）、スクランブラー１１４は、インタリービングされたデータを当該フレームに割り当てられたスクランブリングコードを利用してスクランブリングする（Ｓ８４０）。
【００４６】
このようなＢＣＨ送信構造で、端末機は、正確なＴＴＩタイミングを知ることができないので、二つの仮説をたててブラインドデコーディングを行う。具体的に、図９を参照すれば、端末機は、第１及び第２フレームで受信したデータが同一なＢＣＨ情報を含むという仮説（仮説１）と、第２及び第３フレームで受信したデータが同一なＢＣＨ情報を含むという仮説（仮説２）とをたてる。二つの仮説により、端末機は、仮説１に応じて最初のフレームのデータに対してスクランブリングコード＃１を適用してデコーディングを試み、仮説２に応じて最初のフレームのデータに対してスクランブリングコード＃２を適用してデコーディングを試みる。この時、二つの仮説のうちのいずれか一つに対してデコーディングエラーが発生しなければ、端末機は、成功的にＢＣＨ情報を復調することができる。そして、仮説１に応じたデコーディングが成功した場合には、端末機は、復調したＢＣＨ情報によって最初のフレームのシステムフレーム番号がＫであることを知り、第２フレームのシステムフレーム番号を（Ｋ＋１）と判断する。反面、仮説２に応じたデコーディングが成功した場合には、端末機は、最初のフレームがＴＴＩ内の第２フレームであることを知り、最初のフレームのシステムフレーム番号を（Ｋ＋１）と判断する。
【００４７】
一方、二つの仮説の全てに対してデコーディングエラーが発生すれば、端末機は次のフレームデータをさらに受信した後に二つの仮説をテストする。端末機は仮説１によって第１及び第２フレームのデータをソフト結合してデコーディングを試みる。反面、仮説２の場合は、第１及び第２フレームは互いに異なるＴＴＩに含まれているため、二つのフレームをソフト結合することはできないので、端末機は、第２フレームのデータにスクランブリングコード＃１を適用してデコーディングを試みる。この時、二つの仮説のうちのいずれか一つに対してデコーディングエラーが発生しなければ、端末機は、成功的にＢＣＨ情報を復調することができる。
【００４８】
一方、二つの仮説の全てに対してデコーディングエラーが発生した場合には、端末機は次のフレームデータをさらに受信して、仮説１に応じて第３フレームのデータにスクランブリングコード＃１を適用してデコーディングを試み、仮説２に応じて第２及び第３フレームのデータをソフト結合してデコーディングを試みる。
【００４９】
このように、本発明の一実施例によれば、ＳＩＮＲの高い環境では、一つのフレームのデータでＢＣＨ情報を復調することができるので、デコーディング遅延時間を減らすことができ、ＳＩＮＲが低い環境では、ソフト結合してデコーディングを行うことができるので、基地局が資源を効率的に管理することができる。また、端末機は、ＢＣＨ情報に含まれているシステムフレーム番号及びデコーディングに使用したスクランブリングコードを使用して、一つのフレームのデータだけで実際のシステムフレーム番号を正確に知ることができる。
【００５０】
一方、本発明の一実施例によれば、チャンネルコーディング器１１０がＴＴＩ内の毎フレームごとに同一なＢＣＨ情報に対してチャンネルコーディングを行うので、基本エンコーダー１１１のＴＴＩ内の各フレームに対する出力は同一であるが、レートマッチング器１１２の出力は同一であっても同一でなくてもよい。
【００５１】
以下では、図２、図１０、及び図１１を参照して、本発明の実施例によるレートマッチング器１１２について詳細に説明する。
【００５２】
図１０及び図１１は、各々本発明の実施例によるレートマッチング器でのレートマッチング方法を示した図である。
【００５３】
図２に示したチャンネルコーディング器１１０が１／３コーディング率を使用する場合、基本エンコーダー１１１は、ＮビットのＢＣＨ情報をエンコーディングして、３Ｎビット（ｄ0、ｄ1、…、ｄ3N-1）を出力する。ここで、ｄk（ｋ＝０、１、…、３Ｎ−１）は基本エンコーダー１１１の出力ビットである。各フレームで伝送できるビットの数をＭとすれば、レートマッチング器１１２は、レートマッチングバッファーに保存されているデータの中からＭビットを抽出する。
【００５４】
図１０を参照すれば、本発明の一実施例によるレートマッチング器１１２は、最初の伝送ではレートマッチングバッファー１１２ａで最初のアドレスに保存されたデータから順に抽出し、Ｍが３Ｎより大きければ、再び最初のアドレスに保存されたデータから順に抽出する。Ｍが３Ｎ＋ｉであると仮定すれば、表１に示したように、レートマッチング器１１２で抽出されたデータは（ｄ0、…、ｄ3N-1、ｄ0、…、ｄi-1）となり、レートマッチング器１１２は、第２の伝送でも最初のアドレスに保存されたデータから順にＭビットのデータ（ｄ0、…、ｄ3N-1、ｄ0、…、ｄi-1）を抽出する。このようなレートマッチングバッファー１１２ａをサーキュラーバッファーという。
【００５５】
【表１】
2010526470.tif 000003
【００５６】
図１１を参照すれば、本発明の他の実施例によるレートマッチング器１１２´は、最初の伝送では図１０に示したレートマッチング器１１２と同一にレートマッチングバッファー１１２ａ´でＭビットのデータ（ｄ0、…、ｄ3N-1、ｄ0、…、ｄi-1）を抽出する。反面、表２に示したように、レートマッチング器１１２´は、第２の伝送では最初の伝送で最後に抽出したビットの次のビットからＭビットのデータ（ｄi、…、ｄ3N-1、ｄ0、…、ｄ2i-1）を抽出する。
【００５７】
【表２】
2010526470.tif 000004
【００５８】
このようにすることにより、図１０に示したレートマッチング器１１２の出力ビットはＴＴＩ内では各フレームで同一であるが、図１１に示したレートマッチング器１１２´の出力ビットはＴＴＩ内でもフレームごとに変わる。しかし、Ｍが３Ｎより大きい場合には、図１０及び図１１に示したレートマッチング器１１２、１１２´の出力ビットはＢＣＨ情報を全て含むことができる。これは高いＳＩＮＲが高い環境では１つのフレームデータのみでＢＣＨ情報をデコーディングすることができるのを意味する。
【００５９】
次に、図１２及び図１３を参照して、本発明の一実施例による端末機の信号受信装置について詳細に説明する。
【００６０】
図１２は、本発明の一実施例による端末機の信号受信装置の概略的なブロック図であり、図１３は、図１２に示したチャンネルデコーディング器の概略的なブロック図である。
【００６１】
図１２に示したように、本発明の一実施例による信号受信装置２００は、受信器２１０、高速フーリエ変換器（fast Fourier transformer、FFT）２２０、デマルチプレクサ２３０、シンボル変換器２４０、及びチャンネルデコーディング器２５０を含む。
【００６２】
受信器２１０は、アンテナ２６０を通して受信した時間領域信号を基底帯域デジタル信号に変換し、高速フーリエ変換器２２０は、基底帯域デジタル信号を周波数領域信号に変換する。デマルチプレクサ２３０は、周波数領域信号よりＢＣＨシンボルを抽出し、シンボル変換器２４０は、抽出したＢＣＨシンボルをビットに変換して出力する。チャンネルデコーディング器２５０は、シンボル変換器２４０の出力ビットをデコーディングして、ＢＣＨ情報を復調する。
【００６３】
図１３を参照すれば、チャンネルデコーディング器２５０は、デスクランブラー２５１、デインタリーバ２５２、逆レートマッチング器２５３、ソフト結合器２５４、及び基本デコーダー２５５を含む。デスクランブラー２５１は、シンボル変換器２４０の出力ビットをデスクランブリングするが、図９を参照して説明したように、仮説１または２に応じてスクランブリングコード＃１または＃２を利用して出力ビットをデスクランブリングする。デインタリーバ２５２は、デスクランブリングされたビットをデインタリービングし、逆レートマッチング器２５３は、基本デコーダー２５５でデコーディングできるように、デインタリービングされたビットの数及び順序を調節する。ソフト結合器２５４は、図９で説明した仮説１または２に応じて逆レートマッチングされたビットを直前のフレームの受信ビットとソフト結合する。そして、基本デコーダー２５５は、ソフト結合器２５４でソフト結合されたビット、またはソフト結合しない場合には逆レートマッチング器２５３で逆レートマッチングされたビットを所定のコーディング率に応じてデコーディングして、ＢＣＨ情報を復調する。この時、基本デコーダー２５５は、デコーディングが成功的に行われたか否かを知らせるが、例えばＣＲＣ（cyclic redundancy check）エラー情報を通じてデコーディングが成功したか否かを知らせる。
【００６４】
以上で、本発明の実施例について詳細に説明したが、本発明の権利範囲はこれに限定されるものではなく、特許請求の範囲で定義している本発明の基本概念を利用した当業者の多様な変形及び改良形態も本発明の権利範囲に属する。
【００６５】
そして、本発明の実施例は、装置及び方法によってのみ具現されるものではなく、本発明の実施例の構成に対応する機能を実現するプログラムまたはそのプログラムを記録した媒体を通して具現されることもでき、このような具現は、前述の実施例の記載より当業者が容易に実現することができる。
【符号の説明】
【００６６】
１００  信号送信装置
１１０  チャンネルコーティング器
１１１  基本エンコーダー
１１２、１１２′  レートマッチング器
１１２ａ、１１２ａ′  レートマッチング器バッファー
１１３  インタリーバ
１１４  スクランブラー
１２０、２４０  シンボル変換器
１３０  マルチプレクサ
１４０  逆高速フーリエ変換器
１５０  送信器
２００  信号受信装置
２１０  受信器
２２０  高速フーリエ変換器
２３０  デマルチプレクサ
２５０  チャンネルデコーディング器
２５１  デスクランブラー
２５２  デインタリーバ
２５３  逆レートマッチング器
２５４  ソフト結合器
２５５  基本デコーダー
【図１】
2010526470.tif 000005
【図２】
2010526470.tif 000006
【図３】
2010526470.tif 000007
【図４】
2010526470.tif 000008
【図５】
2010526470.tif 000009
【図６】
2010526470.tif 000010
【図７】
2010526470.tif 000011
【図８】
2010526470.tif 000012
【図９】
2010526470.tif 000013
【図１０】
2010526470.tif 000014
【図１１】
2010526470.tif 000015
【図１２】
2010526470.tif 000016
【図１３】
2010526470.tif 000017
【手続補正書】
【提出日】平成22年3月2日(2010.3.2)
【手続補正１】
【補正対象書類名】特許請求の範囲
【補正対象項目名】全文
【補正方法】変更
【補正の内容】
【特許請求の範囲】
【請求項１】
基地局から放送チャンネル情報を送信する方法において、
複数のフレームからなる送信時間区間（ｔｒａｎｓｍｉｓｓｉｏｎ  ｔｉｍｅ  ｉｎｔｅｒｖａｌ、ＴＴＩ）ごとに放送チャンネル情報を生成する段階、
前記送信時間区間で前記放送チャンネル情報をスクランブリングコードでスクランブリングする段階、
スクランブリングした前記放送チャンネル情報を送信シンボルに変調する段階、及び
前記送信シンボルを送信する段階
を含み、
前記送信時間区間内の互いに異なるフレームでは前記スクランブリングコードが互いに異なるコードを有する、送信方法。
【請求項２】
前記スクランブリングする段階前に、
前記放送チャンネル情報をインコーディングする段階、及び
インコーディングした前記放送チャンネル情報をレートマッチングする段階
をさらに含む、請求項１に記載の送信方法。
【請求項３】
前記レートマッチングする段階は、
前記インコーディングした放送チャンネル情報のビットをサーキュラーバッファーに保存する段階、及び
前記サーキュラーバッファーでビットを循環しながら抽出する段階
を含む、請求項２に記載の送信方法。
【請求項４】
基地局から放送チャンネル情報を送信する方法において、
複数のフレームからなる送信時間区間（ＴＴＩ）ごとに放送チャンネル情報を生成する段階、
前記送信時間区間で前記放送チャンネル情報をスクランブリングコードでスクランブリングする段階、
スクランブリングした前記放送チャンネル情報を送信シンボルに変調する段階、
前記送信シンボルを送信する段階、及び
前記送信時間区間ごとに前記スクランブリングコードを初期化する段階
を含む、送信方法。
【請求項５】
端末器で放送チャンネル情報を受信する方法において、
送信シンボルを受信する段階、
複数のフレームからなる放送チャンネル情報送信時間区間（ＴＴＩ）のタイミングを暗黙的に（ｂｌｉｎｄｌｙ）獲得する段階、及び
前記送信シンボルから前記放送チャンネル情報を抽出する段階
を含み、
前記送信シンボルに含まれている前記放送チャンネル情報は前記送信時間区間でスクランブリングコードでスクランブリングされており、
前記送信時間区間ごとに前記スクランブリングコードは初期化される、受信方法。
【請求項６】
複数のフレームからなる送信時間区間（ｔｒａｎｓｍｉｓｓｉｏｎｔｉｍｅｉｎｔｅｒｖａｌ、ＴＴＩ）ごとに放送チャンネル情報を生成する段階、
前記送信時間区間で前記放送チャンネル情報をスクランブリングコードでスクランブリングする段階、
スクランブリングした前記放送チャンネル情報を送信シンボルに変調する段階、及び
前記送信シンボルを送信する段階
を含み、
前記送信時間区間内の互いに異なるフレームでは前記スクランブリングコードが互いに異なるコードを有する、基地局の放送チャンネル情報送信方法を実行させるためのプログラムが記録されたコンピュータで読むことができる媒体。
【請求項７】
複数のフレームからなる送信時間区間（ＴＴＩ）ごとに放送チャンネル情報を生成する段階、
前記送信時間区間で前記放送チャンネル情報をスクランブリングコードでスクランブリングする段階、
スクランブリングした前記放送チャンネル情報を送信シンボルに変調する段階、
前記送信シンボルを送信する段階、及び
前記送信時間区間ごとに前記スクランブリングコードを初期化する段階
を含む、基地局の放送チャンネル情報送信方法を実行させるためのプログラムが記録されたコンピュータで読むことができる媒体。
【請求項８】
送信シンボルを受信する段階、
複数のフレームからなる放送チャンネル情報送信時間区間（ＴＴＩ）のタイミングを暗黙的に（ｂｌｉｎｄｌｙ）獲得する段階、及び
前記送信シンボルから前記放送チャンネル情報を抽出する段階
を含み、
前記送信シンボルに含まれている前記放送チャンネル情報は前記送信時間区間でスクランブリングコードでスクランブリングされており、
前記送信時間区間ごとに前記スクランブリングコードは初期化される、端末器の放送チャンネル情報受信方法を実行させるためのプログラムが記録されたコンピュータで読むことができる媒体。
【手続補正２】
【補正対象書類名】明細書
【補正対象項目名】００４４
【補正方法】変更
【補正の内容】
【００４４】
図７を参照すれば、本発明の一実施例によるＢＣＨ伝送構造では、チャンネルコーディング器１１０がＴＴＩ内の毎フレームごとに同一なＢＣＨ情報に対してチャンネルコーディングを行う。そうすると、毎フレームごとに一つのチャンネルコーディングブロックが伝送され、ＴＴＩ内の各チャンネルコーディングブロックは同一なＢＣＨ情報を含む。そして、ＴＴＩ内の複数のフレームに対して互いに異なるスクランブリングコードが使用される。例えば、ＴＴＩ内のフレーム＃ｉでは、システムフレーム番号Ｋ及びスクランブリングコード＃１が使用され、フレーム＃（ｉ＋１）では、システムフレーム番号Ｋ及びスクランブリングコード＃２が使用される。この時、前述のように、チャンネルコーディングに使用されるＢＣＨ情報は、ＴＴＩ内でフレームに関係なく同一なシステムフレーム番号を有する。つまり、ＴＴＩ内に二つのフレームが含まれる場合には、実際のシステムフレーム番号から下位１ビットが除去されたシステムフレーム番号がチャンネルコーディングに使用され、ＴＴＩ内に四つのフレームが含まれる場合には、実際のシステムフレーム番号から下位２ビットが除去されたシステムフレーム番号がチャンネルコーディングに使用される。
また、図７に示されているように、ＴＴＩ内のスクランブリングコードはＴＴＩごとに同一のコード、即ちスクランブリングコード＃１、＃２に初期化される。
【国際調査報告】
2010526470.tif 000018
2010526470.tif 000019